(57)【特許請求の範囲】
【請求項１】
記録媒体を装着した搬送トレイを水平方向に前進後退させてロード／アンロードするようにした記録媒体装填装置において、
前記搬送トレイの移動を案内しつつ支持する保持機構であって、該保持機構による搬送トレイの保持クリアランスを調整ネジの進退により調整するようにしたことを特徴とする記録媒体装填装置。
【発明の詳細な説明】
【０００１】
【発明の属する技術分野】
本発明は、コンピュータシステムあるいはオーディオシステムなどにおいて、情報の記録媒体であるＣＤ、ＤＶＤ、ＤＶＤ−Ｒ／ＲＷあるいはＤＡＴなどをシステムに装脱するための記録媒体装填装置に関するものである。
【０００２】
【従来の技術】
デジタル情報を記録または再生するための記録媒体は、通常、システムの外部からその内部に配置固定された記録再生ユニットへ搬送され、ドライブされるように構成されている。そしてこの記録媒体のロード／アンロードは、一般にシステムの外部と内部の間を水平方向に前進後退する搬送トレイによりなされる。このような搬送トレイを備え、光ディスクのロード／アンロードを行うシステムを一般にディスク装置と呼ばれており、図５にこのディスク装置Ｄ１を内蔵したパーソナルコンピュータ（以下、パソコンという）の外観を示し、図６はオーディオシステムにおけるＣＤプレーヤにディスク装置Ｄ２を内蔵した状態を示す。
【０００３】
上記システムに内蔵される従来の一般的なディスク装置は、図７に示すごとく構成されている。即ち、同図において符号１０１は、１２ｃｍ規格または８ｃｍ規格の光ディスクを装着し、ロードまたはアンロードの指示にもとづいて機器筐体の内外を水平方向に移動する搬送トレイを示し、この搬送トレイ１０１は機器の筐体本体に固定されたディスクベース１０２内で水平方向に前進後退する。なお、搬送トレイ１０１を前進後退させるための駆動力は、図８に示すごとくディスクベース１０２に配設されたスレッドモータ（図示せず）の回転力をギヤシステム１０３を介し、搬送トレイ１０１に形成したラックギヤ１０４に伝達する構成が一般的である。
【０００４】
このように構成された従来のディスク装置においては、搬送トレイ１０１はディスクベース１０２上を摺動状態で前進後退するが、この搬送トレイ１０１を案内および支持するため、図８に示すごとくディスクベース１０２の側部の底部に支承突起１０２ａと、側壁に支持突起１０２ｂが形成されている。そして、前記支承突起１０２ａと支持突起１０２ｂとの間に形成された間隙Ｇに搬送トレイ１０１の軌条側端１０１ａを差し込んだ状態で配置するようにしている。
【０００５】
【発明が解決しようとする課題】
ところで、このように構成される搬送トレイ１０１およびディスクベース１０２は、通常、それぞれ合成樹脂により成形されているのであるが、特に大量生産を行う場合は、複数の金型が準備され、同時に並行して同一部品の成形がなされるのが一般である。ところが、成形圧や溶融樹脂の温度などの成形条件を完全に統一することが困難なことから、成形品のすべてが同一の寸法で仕上がることがなく、区々の寸法、板厚となる。
【０００６】
このような問題から、前記支承突起１０２ａと支持突起１０２ｂとの間隙Ｇ、即ち、搬送トレイ１０１の軌条側端１０１ａを保持する保持クリアランスは、成形誤差の最大限を許容するようになし、どのような成形条件で成形された搬送トレイであってもスムーズな動作が可能となるよう、接触抵抗が生ずることなく間隙Ｇに納まるようにしている。
【０００７】
したがって、このような配慮の下に設計がなされた支承突起１０２ａ、支持突起１０２ｂの成形されたディスクベース１０２に搬送トレイ１０１を組み込むと、間隙Ｇの最大幅より薄く軌条側端１０１ａが成形されている場合、図９に示すごとく搬送トレイ１０１に上下方向の遊びが発生することになる。そして、搬送トレイ１０１がアンロードされて機器筐体外に全体が露出すると、搬送トレイ１０１は後端部のみが支持された片持ち状態となり、光ディスクの装填時に僅かに指先で触れたのみで搬送トレイ１０１の先端が首振り状態で上下方向に揺動してしまうことになる。
【０００８】
このような状態で製品を完成した場合、使用者に与える影響、即ち、搬送トレイの操作感を損なうとともに、高級感を低下させることとなる。特に高級オーディオ製品のように高い品質が要求される製品においては商品性を向上するため、操作感の向上は重要な要素であり、不揃いの品質とならないようにしなければならない。
【０００９】
本発明は、かかる問題を解決するためになされたものであり、成形条件により寸法誤差の生じている搬送トレイであっても、ディスクベースへの取り付け状態が一定となるようにしたもので、搬送トレイの保持クリアランスを必要最小限に設定できるようにし、搬送トレイの上下方向の揺動が発生しないようにしたものである。
【００１０】
【課題を解決するための手段】
そこで本発明は、記録媒体を装着した搬送トレイを水平方向に前進後退させてロード／アンロードするようにした記録媒体装填装置において、前記搬送トレイの移動を案内しつつ支持する保持機構であって、該保持機構による搬送トレイの保持クリアランスを調整ネジの進退により調整するようにした。
【００１２】
【発明の実施の形態】
以下、図に示す本発明の実施の形態を詳細に説明する。なお、本発明において実施の対象とする記録媒体は、その装填を搬送トレイによることのできるものであれば特に限定するものではないが、以下の実施例においては、発明の理解を容易とするため、光ディスクのディスク装置の一般的構成にもとづいて説明する。
【００１３】
図１は、本発明を実施したディスク装置の平面図であり、同図において、符号１は搬送トレイを示し、軌条側端１ａが形成されており、この軌条側端１ａが図２に示すごとくディスクベース２に形成された支承突起２ａに支承され、このディスクベース内で水平方向に前進後退する。符号３は前記搬送トレイ１の保持機構であり、図２に示すごとく主体がディスクベース２に固定された下枠材４とこの下枠材４に結合ネジ６で連結される上枠材５からなる。
【００１４】
そしてこの上枠材５には図３に示すごとく、その四隅であって中心が搬送トレイ１の軌条側端１ａの直上となる位置にネジガイドホルダ７が植設されており、さらにこのネジガイドホルダ７に調整ネジ８が螺設されている。このように構成された状態は、図４から明らかなごとく調整ネジ８に延設したスピンドル８ａの先端が搬送トレイ１の軌条側端１ａに臨むことになる。このスピンドル８ａは、その先端で軌条側端１ａの移動を案内しつつ支持する機能を果たすものであるが、軌条側端１ａとは非接触であることを要する。
【００１５】
本発明のディスク装置は以上のごとく構成されており、調整ネジ８の回転量に応じて全体が前進後退するので、スピンドル８ａの先端の上下位置を調整することができる。したがって、軌条側端１ａとスピンドル８ａの先端の間に隙間ゲージを介在させ、調整ネジ８を回転させてその位置決めを行うことにより、軌条側端１ａがどのような厚みに形成されていても、その保持クリアランスを一定のものとすることができる。
【００１６】
【発明の効果】
以上、詳細に説明したごとく本発明によれば、搬送トレイに対する保持クリアランスを調整ネジの進退により調整できるようにしたので、成形条件によって搬送トレイに厚み誤差がある場合においても、一定の保持クリアランスを得ることができ、品質の一定した記録媒体装着装置とすることができる。
【００１７】
また、調整ネジにより極めて微細な調整が可能であるので、保持クリアランスを必要最小限に設定することができる。これにより、搬送トレイの上下方向の揺動が全く生ずることがなくなり、操作感を向上するなど多大の効果を奏するものである。
【図面の簡単な説明】
【図１】本発明の記録媒体装着装置の平面図である。
【図２】本発明の記録媒体装着装置の断面図である。
【図３】本発明の記録媒体装着装置の保持機構を示す斜視図である。
【図４】本発明の記録媒体装着装置の要部断面図である。
【図５】ディスク装置を内蔵したパソコンの外観を示す図である。
【図６】ディスク装置を内蔵したＣＤプレーヤの外観を示す図である。
【図７】従来のディスク装置の平面図である。
【図８】従来のディスク装置の搬送トレイの構成を示す図である。
【図９】従来のディスク装置における不具合の状態を示す説明図である。
【符号の説明】
１・・・・・・搬送トレイ
１ａ・・・・・軌条側端
２・・・・・・ディスクベース
３・・・・・・保持機構
４・・・・・・下枠材
５・・・・・・上枠材
６・・・・・・結合ネジ
７・・・・・・ネジガイドホルダ
８・・・・・・調整ネジ
【図１】
0003867621.tif 000002
【図２】
0003867621.tif 000003
【図３】
0003867621.tif 000004
【図４】
0003867621.tif 000005
【図５】
0003867621.tif 000006
【図６】
0003867621.tif 000007
【図７】
0003867621.tif 000008
【図８】
0003867621.tif 000009
【図９】
0003867621.tif 000010